(57)【要約】【課題】使い勝手がよく、更には、ライフサイクルの長い電気掃除機を提供する。【解決手段】吸引風を発する電動送風機２２、コードを配置したコードリール室２５を内蔵する本体と、前記本体の後方に設けたコード出口部３１と、前記本体の両側に配置した移動用車輪２９とを備え、前記本体の前方を押して、前記本体の前方底面と床面とを接触させたとき、前記コード出口部３１が前記床面に対し上方向に移動する構成とした電気掃除機で、本体の前方上方を押すと、コードの出口部３１が上方に移動し、見えやすく引き出しやすいものである。【選択図】図１
2004089746.tif 000002
【特許請求の範囲】
【請求項１】
吸引風を発する電動送風機、コードを配置したコードリール室を内蔵する本体と、前記本体の後方に設けたコード出口部と、前記本体の両側に配置した移動用車輪とを備え、前記本体の前方を押して、前記本体の前方底面と床面とを接触させたとき、前記コード出口部が前記床面に対し上方向に移動する構成とした電気掃除機。
【請求項２】
本体の前方を床面より浮かせ、前記本体を立てようとするとき、前記本体の最後方部より先に前記床面と当接する凸部を設けた請求項１記載の電気掃除機。
【発明の詳細な説明】
【技術分野】
【０００１】
　本発明は、一般家庭用電気掃除機に関するものである。
【背景技術】
【０００２】
　従来の構成を図６にて示す（例えば、特許文献１参照）。１は後方に電動送風機２、コード３を内蔵する電気掃除機本体（以下、本体という）であり、前部には集塵袋４を内蔵した集塵箱５が着脱自在に固定され、後方側面に移動用車輪６が、前方底面には水平方向に回転自在な移動用キャスター７が設けられている。
【０００３】
　本体１後方に設けられたコード３の出口部８は、床面とほぼ水平で、且つ本体１の下部に設けられている。
【特許文献１】特開昭５８−１１８７２６号公報
【発明の開示】
【発明が解決しようとする課題】
【０００４】
　ところが、上記のような電気掃除機においては、使用者が掃除を始める前のコード３を引き出す際に、コード３の出口部８が、上方からは見えにくく、引き出しにくい形態であった。
【０００５】
　また、コード３の出口部８が、床面とほぼ水平で、且つ本体１の下部に設けられているため、コード３を上方に向かって引き出される場合が多々あり、このとき、コード３が本体１の外郭に当たり、コード３が痛みやすく、ひどい場合には、コード３内の素線が断線するという問題を有していた。
【０００６】
　本発明は、上記課題を解決するもので、掃除を始める前のコード３の引き出し性を向上するとともに、コード３にかかる負担を和らげ、ライフサイクルの長い電気掃除機を提供することを目的とするものである。
【課題を解決するための手段】
【０００７】
　本発明は、上記の目的を達成するために、吸引風を発する電動送風機、コードを配置したコードリール室を内蔵する本体と、前記本体の後方に設けたコード出口部と、前記本体の両側に配置した移動用車輪とを備え、前記本体の前方を押して、前記本体の前方底面と床面とを接触させたとき、前記コード出口部が前記床面に対し上方向に移動する構成とした電気掃除機もので、本体の前方上方を押すと、コードの出口部が上方に移動し、見えやすく引き出しやすいものである。
【発明の効果】
【０００８】
　本発明は以上説明したように、使い勝手がよく、更には、ライフサイクルの長い電気掃除機を提供するものである。
【発明を実施するための最良の形態】
【０００９】
　第１の発明は、吸引風を発する電動送風機、コードを配置したコードリール室を内蔵する本体と、前記本体の後方に設けたコード出口部と、前記本体の両側に配置した移動用車輪とを備え、前記本体の前方を押して、前記本体の前方底面と床面とを接触させたとき、前記コード出口部が前記床面に対し上方向に移動する構成とした電気掃除機もので、本体の前方上方を押すと、コードの出口部が上方に移動し、見えやすく引き出しやすいものである。
【００１０】
　第２の発明は、本体の前方を床面より浮かせ、前記本体を立てようとするとき、前記本体の最後方部より先に前記床面と当接する凸部を設けたもので、本体を立てるとき、本体下の最後部隅部より先に凸部が床面と当接し、本体下の最後部隅部が直接床面に当たるのを防ぎ、床面の傷付きを押さえるものである。
【００１１】
　（実施の形態１）
　以下、本発明の一実施の形態を添付図面にもとづいて説明する。図１〜図５において２１は本体下であり、内部後方には電動送風機２２を内蔵した電動送風機室２３と、コード２４を内蔵したコードリール室２５を、前方には集塵袋２６を内蔵した集塵室２７を有し、蓋体２８により集塵室２７を上方より回動自在に覆っている。
【００１２】
　そして、移動用車輪２９は電動送風機２２の重心より前方で集塵室２７の後方両側に回転中心が位置するように配置され、電動送風機２２後方には水平にも回動自在な移動用キャスター３０が設けられている。
【００１３】
　前記移動用車輪２９を回転中心として、前方向に電気掃除機本体が回動する空間が移動用車輪２９より前方の集塵室２７底面外郭と床面間に設けられている。
【００１４】
　本実施の形態では、前方向に電気掃除機本体２１が回動する空間を、５ｃｍ以上としている。
【００１５】
　また、本体下２１の後方で、且つコードリール室２５後方のコード出口部３１にコード２４のプラグ部３２を保護する、底面に凹部３３を有した壁３４を設け、この凹部３３には軟質塩化ビニール等の緩衝材３５が固着されている。
【００１６】
　さらに、移動用キャスター３０の回転中心より後方で、且つ前記本体下２１後方に、本体下２１の最後部隅部３６より先に床面と当接する、平面を有する凸部３７が設けられている。
【００１７】
　次に、本実施の形態の作用について説明する。
【００１８】
　使用者が掃除をする前にコード２４を引き出すが、本実施の形態においては集塵室２７底面と床面との間に隙間が設けられているため、本体の前方上方を押すと、本体の後方下部に設けられたコード出口部３１が上方に移動し、コード２４が見やすく、引き出しやすくなり、またコード２４が本体の外郭に当たりにくくなり、痛みにくくなるものである。
【００１９】
　また、掃除中、本体の前方が持ち上がり、移動用車輪２９が床面より浮いたとき、或いは本体を立てようとする時、コード２４を保護する壁３４の底面の凹部３３に固着された軟質塩化ビニール等の緩衝材３５より床面を傷付けないものである。
【００２０】
　さらに、上記した条件の時、移動用キャスター３０の回転中心より後方で、且つ前記本体下２１後方に、本体下２１の最後部隅部３６より先に床面と当接する凸部３７を設けることにより、本体下２１の最後部隅部３６が直接床面に当たるのを防ぎ、床面への傷付きを和らげ、また、本体下２１の最後部全体が床面に当たるようにさそい、本体下２１の最後部隅部３６で本体が回転するのを防ぎ、本体を立てやすくするものである。
【００２１】
　集塵室２７後方で電動送風機２２重心前方に移動用車輪２９を配置し、前記移動用車輪２９を回転中心として、前方向に電気掃除機本体が回動する空間を移動用車輪２９より前方の集塵室２７底面外郭と床面間に設け、前記コード出口部３１が床面に対し上方向に傾斜するように構成することにより、本体の前方上方を押すと、本体の後方下部に設けられたコード出口部３１が上方に移動し、コード２４が見やすく、引き出しやすくなり、またコード２４が本体の外郭に当たりにくくなり、コード２４にかかる力が軽減でき、痛みにくくなるものである。
【００２２】
　また、コード２４を保護する壁の底面の凹部３３に固着された軟質塩化ビニール等の緩衝材３５を設けたことにより、掃除中、本体の前方が持ち上がり、移動用車輪２９が床面より浮いたとき、或いは本体を立てようとする時、本体下２１等を形成する樹脂が直接床面に当たらないため、床面を傷付けないものである。
【００２３】
　更には、キャスターの回転中心より後方で、且つ前記本体下２１後方に、本体下２１の最後部隅部３６より先に床面と当接する凸部３７を設けることにより、本体下２１の最後部隅部３６が直接床面に当たるのを防ぎ、床面への傷付きを和らげ、また、本体下２１の最後部全体が床面に当たるようにさそい、本体下２１の最後部隅部３６で本体が回転するのを防ぎ、本体を立てやすくするものである。
【産業上の利用可能性】
【００２４】
　本発明は、コードにかかる負担を和らげ、コードにかかる力が軽減でき、痛みにくくなる効果を有するため、コードを有する電気機器全般に適用できる。
【図面の簡単な説明】
【００２５】
【図１】本発明の一実施の形態を示した電気掃除機の側面図
【図２】同電気掃除機の後面図
【図３】同電気掃除機の裏面図
【図４】同電気掃除機の部分側面図
【図５】従来の電気掃除機の側面図
【図６】同電気掃除機の平面図
【図７】同電気掃除機の裏面図
【符号の説明】
【００２６】
　２１　本体下
　２２　電動送風機
　２３　電動送風機室
　２４　コード
　２５　コードリール室
　２６　集塵袋
　２７　集塵室
　２８　蓋体
　２９　移動用車輪
　３０　移動用キャスター
　３１　コード出口部
　３２　プラグ部
　３３　凹部
　３４　壁
　３５　緩衝材
　３６　最後部隅部
　３７　凸部
【図１】
2004089746.tif 000003
【図２】
2004089746.tif 000004
【図３】
2004089746.tif 000005
【図４】
2004089746.tif 000006
【図５】
2004089746.tif 000007
【図６】
2004089746.tif 000008
【図７】
2004089746.tif 000009